(57)【特許請求の範囲】
【請求項１】
無線通信機能を有する非接触式ＩＣカードとの無線通信により、この非接触式ＩＣカードに対し読み取り、書き込みを行うカードリーダにおいて、
本体に挿入された非接触式ＩＣカードをカードデータの読取位置に案内する挿入路が形成されたフレーム部材と、
アンテナとして機能するコイル状の回路パターンが形成され、この回路パターンが前記読取位置にセットされた非接触式ＩＣカードに対向する位置に取り付けられたアンテナ基板と、を備え、
前記アンテナ基板は、前記コイル状の回路パターンの内側が、開口している基板であるカードリーダ。
【請求項２】
無線通信機能を有する非接触式ＩＣカードとの無線通信により、この非接触式ＩＣカードに対し読み取り、書き込みを行う第１のカードデータ読取、書込手段と、
ＩＣ接点を、接触式ＩＣカードの表面に形成されているコンタクト端子に接続し、この接触式ＩＣカードに対し読み取り、書き込みを行う第２のカードデータ読取、書込手段と、を備えたカードリーダにおいて、
本体に挿入された非接触式ＩＣカード、または接触式ＩＣカードをカードデータの読取位置に案内する挿入路が形成されたフレーム部材と、
アンテナとして機能するコイル状の回路パターンが形成され、この回路パターンが前記読取位置にセットされた非接触式ＩＣカードに対向する位置に取り付けられたアンテナ基板と、を備え、
前記アンテナ基板は、前記コイル状の回路パターンの内側が、開口している基板であり、
前記ＩＣ接点は、前記読取位置にセットされた非接触式ＩＣカード、または接触式ＩＣカードを挟んで、前記アンテナ基板の反対側の位置に取り付けているカードリーダ。
【請求項３】
前記ＩＣ接点は、接点基板に設け、
前記接点基板は、前記アンテナ基板における前記コイル状の回路パターンの内側の開口部の一部と対向する位置に設けている、請求項２に記載のカードリーダ。
【請求項４】
前記アンテナ基板を、本体に挿着する挿着部を備えた請求項１〜３のいずれかに記載のカードリーダ。
【発明の詳細な説明】
【技術分野】
【０００１】
この発明は、カードに記憶されているカードデータに対し読み取り、書き込みを行うカードリーダに関し、特に、無線通信機能を有する非接触式ＩＣカードに対し読み取り、書き込みを行うカードリーダに関する。
【背景技術】
【０００２】
従来、カードが記憶するカードデータの読み取りや、書き込みを行うカードリーダが、ＡＴＭやＣＤ等の種々の装置で利用されている。カードには、カードデータを磁気データで記憶する磁気カードや、カードデータをＩＣメモリに記憶するＩＣカードがある。また、ＩＣカードには、カードリーダと電気的に接続するためのコンタクト端子がカード表面に形成されている接触式ＩＣカードや、無線通信機能を有する非接触式ＩＣカードがある。公知のように、磁気カードは、磁気カードの表面に形成されている磁気ストライプに磁気ヘッドを当接させて、カードデータの読み取りや、書き込みを行う。また、接触式ＩＣカードは、接触式ＩＣカードのコンタクト端子にＩＣ接点を当接させてカードデータの読み取りや、書き込みを行う。さらに、非接触式ＩＣカードは、この非接触式ＩＣカードとの無線通信によりカードデータの読み取りや、書き込みを行う。
【０００３】
なお、上述した磁気カード、接触式ＩＣカード、非接触式ＩＣカードの２つ以上を複合した複合カードもすでに実用化されている。
【０００４】
また、カードリーダは、カードを挿入する挿入口から硬貨等の異物が挿入された場合に、この異物がカードの挿入路に残っていると、次の利用者がカードを挿入したときに、カードの破損や、カードリーダ本体の故障を招くことになる。そこで、従来のカードリーダは、挿入口から硬貨等の異物が挿入された場合に、この異物がカードの搬送路に残らない構成を採用していた（例えば、特許文献１、２参照）。具体的には、カード挿入路の下側に開口部を形成していた。このため、挿入口から異物が挿入された場合、この異物が開口部から落下し、カードの挿入路から排出される。
【特許文献１】登録実用新案第３０２７９５４号公報
【特許文献２】特許第３６４４８３４号公報
【発明の開示】
【発明が解決しようとする課題】
【０００５】
しかしながら、非接触式ＩＣカードからカードデータの読み取りや、書き込みを行うためには、非接触式ＩＣカードとの無線通信に用いるアンテナを設けなければならない。実用化されている一般的なカードリーダでは、非接触式ＩＣカードとの無線通信に用いるアンテナを、コイル状の回路パターンを形成した回路基板（アンテナ基板）で構成している。このアンテナ基板は、カードリーダ内の通信位置にセットされた非接触式ＩＣカードとの間で、安定した無線通信を行うために、この通信位置にセットされている非接触式ＩＣカードに形成されているアンテナコイルと、アンテナ基板に形成されているアンテナコイル（コイル状の回路パターン）とが、略対向する位置に取り付けなければならない。すなわち、非接触式ＩＣカードからカードデータを読み取るカードリーダにおいては、アンテナ基板を、カードリーダ内の通信位置にセットされた非接触式ＩＣカードが対向する一方の側に配置しなければならなかった。このため、このアンテナ基板を、カードリーダの下側に配置すると、挿入口から挿入された異物が、このアンテナ基板で受け止められることになり、この異物をカードの挿入路から排出できなくなる。このことから、アンテナ基板をカードリーダの上側に配置する構成を採用することも考えられるが、アンテナ基板の配置位置をカードリーダ本体の上側に限定すると、カードリーダ本体や、このカードリーダを組み込む機器（ＡＴＭやＣＤ等）についての、設計の自由度が低下する。このため、装置本体の大型化や、コストアップを招くという問題があった。
【０００６】
また、非接触式ＩＣカード、および接触式ＩＣカードからカードデータの読み取りや、書き込みが行えるカードリーダでは、通信位置にセットされた接触式ＩＣカードの表面に形成されているコンタクト端子に対して、ＩＣ接点を当接させる必要があることから、このＩＣ接点を通信位置にセットされたカードに対して、アンテナ基板と同じ側に配置することが困難であった。すなわち、アンテナ基板と、ＩＣ接点をカードリーダ本体の同じ側に配置する場合に、ＩＣ接点をアンテナ基板に邪魔されずに、接触式ＩＣカードの表面に形成されているコンタクト端子に接続できるよう設計しなければならない。
【０００７】
また、アンテナ基板と、ＩＣ接点とを、カードデータの通信位置に配置されたカードを挟んで、対向するように配置することも考えられるが、この場合も、アンテナ基板をカードリーダ本体の上側に配置することになり、ＩＣ接点をカードリーダ本体の下側に配置することになる。一般的な接触式ＩＣカードは、コンタクト端子がカード表面に形成されている。このため、利用者は、接触式ＩＣカードを使用する場合、コンタクト端子が形成されているカード表面を下にして、カードリーダに挿入しなければならない。このため、利用者が、接触式ＩＣカードの向きを間違えて、すなわちコンタクト端子が形成されている表面を上にして、挿入する挿入ミスの発生頻度が増加し、操作性を低下させるという問題も引き起こしてしまう。
【０００８】
この発明の目的は、非接触式ＩＣカードからカードデータの読み取りや、書き込みが行え、カードの挿入口から挿入された異物を排出することができるとともに、設計の自由度が十分に確保され、装置本体の大型化や、装置本体のコストアップを十分に抑えることができるカードリーダを提供することにある。
【０００９】
また、この発明は、操作性を低下させることなく、非接触式ＩＣカード、および接触式ＩＣカードからカードデータの読み取りや、書き込みが行えるカードリーダを提供することを目的とする。
【課題を解決するための手段】
【００１０】
この発明のカードリーダは、上記課題を解決するために以下の構成を備えている。
【００１１】
（１）無線通信機能を有する非接触式ＩＣカードとの無線通信により、この非接触式ＩＣカードに対し読み取り、書き込みを行うカードリーダにおいて、
本体に挿入された非接触式ＩＣカードをカードデータの読取位置に案内する挿入路が形成されたフレーム部材と、
アンテナとして機能するコイル状の回路パターンが形成され、この回路パターンが前記読取位置にセットされた非接触式ＩＣカードに対向する位置に取り付けられたアンテナ基板と、を備え、
前記アンテナ基板は、前記コイル状の回路パターンの内側が、開口している基板である。
【００１２】
この構成では、非接触式ＩＣカードとの無線通信に用いるアンテナが形成されたアンテナ基板を、コイル状の回路パターンの内側が開口している基板とした。このため、読取位置（通信位置）にセットされた非接触式ＩＣカードに対して、このアンテナ基板をカードリーダ本体の下側に配置した場合であっても、挿入口から挿入された、カード以外の異物（例えば、硬貨）を、このアンテナ基板の開口部から排出することができる。したがって、アンテナ基板を配置する側が、カードリーダ本体に対して上側、または下側の任意の側にでき、カードリーダ本体の設計の自由度を十分に確保することができ、その結果装置本体の大型化が十分に抑えられる。
【００１３】
（２）無線通信機能を有する非接触式ＩＣカードとの無線通信により、この非接触式ＩＣカードに対し読み取り、書き込みを行う第１のカードデータ読取、書込手段と、
ＩＣ接点を、接触式ＩＣカードの表面に形成されているコンタクト端子に接続し、この接触式ＩＣカードに対し読み取り、書き込みを行う第２のカードデータ読取、書込手段と、を備えたカードリーダにおいて、
本体に挿入された非接触式ＩＣカード、または接触式ＩＣカードをカードデータの読取位置に案内する挿入路が形成されたフレーム部材と、
アンテナとして機能するコイル状の回路パターンが形成され、この回路パターンが前記読取位置にセットされた非接触式ＩＣカードに対向する位置に取り付けられたアンテナ基板と、を備え、
前記アンテナ基板は、前記コイル状の回路パターンの内側が、開口している基板であり、
前記ＩＣ接点は、前記読取位置にセットされた非接触式ＩＣカード、または接触式ＩＣカードを挟んで、前記アンテナ基板の反対側の位置に取り付けている。
【００１４】
この構成においても、上記（１）と同様に、アンテナ基板を配置する側が、カードリーダ本体に対して上側、または下側の任意の側にでき、カードリーダ本体の設計の自由度を十分に確保することができ、その結果装置本体の大型化や、装置本体のコストアップが十分に抑えられる。
【００１５】
さらに、カードリーダ本体の上側にＩＣ接点を配置し、カードリーダ本体の下側にアンテナ基板を配置することができるので、接触式ＩＣカードの挿入ミスの発生頻度の増加が抑えられ、操作性を低下させることもない。
また、ＩＣ接点は、例えば、アンテナ基板におけるコイル状の回路パターンの内側の開口部の一部と対向する位置に設けた接点基板に設ければよい。このように構成すれば、アンテナ基板がカードリーダ本体の上方に位置するように構成した場合であっても、アンテナ基板におけるコイル状の回路パターンの内側の開口部には、接点基板が対向していない部分が存在するので、この部分において、挿入口から挿入された異物を問題なく排出することができる。
【００１６】
（３）前記アンテナ基板を、本体に挿着する挿着部を備えている。
【００１７】
この構成では、アンテナ基板を本体に対して容易に取り付けるられるので、本体の組立工数が抑えられ、装置本体のコストダウンが図れる。
【発明の効果】
【００１８】
この発明によれば、アンテナ基板を配置する側が、カードリーダ本体に対して上側、または下側の任意の側にでき、カードリーダ本体の設計の自由度を十分に確保することができ、その結果装置本体の大型化や、装置本体のコストアップが十分に抑えられる。
【００１９】
また、カードリーダ本体の上側にＩＣ接点を配置し、カードリーダ本体の下側にアンテナ基板を配置することができるので、接触式ＩＣカードの挿入ミスの発生頻度の増加が抑えられ、操作性を低下させることもない。
【発明を実施するための最良の形態】
【００２０】
以下、この発明の実施形態であるカードリーダについて説明する。
【００２１】
図１は、この発明の実施形態であるカードリーダの主要部の構成を示すブロック図である。図１に示すカードリーダ１は、非接触式ＩＣカード１０に対してカードデータの読み取りや書き込みを行う機能を備え、磁気カードおよび接触式ＩＣカードに対してカードデータの読み取りや書き込みを行う機能を備えていないカードリーダである。この実施形態のカードリーダ１は、装置本体の動作を制御する制御部２と、非接触式ＩＣカード１０と無線通信を行う無線通信部３と、非接触式ＩＣカード１０から読み取ったカードデータを図示していない上位装置（ＡＴＭ，ＣＤ、ＰＯＳ端末等）へ出力する入出力部４と、を備えている。この実施形態のカードリーダは、ＡＴＭやＣＤ等の装置に組み込まれたり、通信ラインを介してＰＯＳ端末等の装置に接続されて使用される。無線通信部３の無線通信エリアは、アンテナから数ｃｍ（２〜３ｃｍ）の範囲であり、この無線通信エリア内に位置する非接触式ＩＣカード１０と無線通信が行える。このアンテナは、後述するアンテナ基板２２に形成されているコイル状の回路パターン３１により構成される。また、無線通信部３は、非接触式ＩＣカード１０と無線通信を行うことで、この非接触式ＩＣカード１０が記憶するカードデータの読み取り（送信指示）や、カードデータの書き込み（書換指示）を行う。入出力部４は、非接触式ＩＣカード１０から読み取ったカードデータを上位装置へ出力する機能だけでなく、上位装置から処理結果として送られてきた書換用のカードデータ等を受け取る機能も有している。
【００２２】
図２は、この実施形態のカードリーダの内部構造を示す概略図であり、図２（Ａ）は上面図、図２（Ｂ）は正面図、図２（Ｃ）は底面図、図２（Ｄ）は図２（Ａ）におけるＡ−Ａ方向の断面図である。この実施形態のカードリーダ１は、略コの字型のフレーム２１と、このフレーム２１に挿着されたアンテナ基板２２と、を有している。コの字型のフレーム２１における、開口辺が非接触式ＩＣカード１０の挿入口２３である。フレーム２１の両側の側面内側には、挿入口２３から挿入された非接触式ＩＣカード１０を読取書込位置（通信位置）まで案内するための案内溝２４が形成されている。この案内溝２４の幅は、非接触式ＩＣカード１０の厚みよりも少し大きい。また、フレーム２１において、挿入口２３に対向する面が、挿入口２３から挿入され、読取書込位置に達した非接触式ＩＣカード１０のストッパとして機能する。読取書込位置は、挿入口２３から挿入された非接触式ＩＣカード１０の先端が、フレーム２１の挿入口２３に対向する面に当たった位置である。挿入口２３から読取書込位置までの経路が、カードの搬送路である。さらに、フレーム２１の下面には、図２（Ｃ）に示すように、挿着されたアンテナ基板２２を保持する保持部２５（２５ａ、２５ｂ、２５ｃ）が設けられている。
【００２３】
ここで、図３を参照しながらアンテナ基板２２について説明する。図３は、アンテナ基板を示す平面図である。アンテナ基板２２の外形は、略矩形形状である。また、アンテナ基板２２には、コイル状の回路パターン３１が形成されている。このコイル状の回路パターン３１、非接触式ＩＣカード１０との無線通信におけるアンテナとして機能する。この回路パターン３１は、非接触式ＩＣカード１０との無線通信の安定性の面から、非接触式ＩＣカード１０に形成されているアンテナコイルの形状と略同じ形状にするのが望ましいことから、ここでは図３に示す矩形形状としているが、非接触式ＩＣカード１０との無線通信の安定性が確保できれば、楕円形状等の他の形状で形成してもよい。
【００２４】
また、アンテナ基板１２は、回路パターン３１の内側を切り取り、その部分（回路パターン３１の内側）を開口部３２としている。さらに、アンテナ基板２２には、両側部、および後部のそれぞれに、フレーム２１の保持部２５（２５ａ、２５ｂ、２５ｃ）に保持させる被保持部３３（３３ａ、３３ｂ、３３ｃ）が形成されている。フレーム２１の両側部に設けられている保持部２５ａ、２５ｂの側面には、アンテナ基板２２の両側部に形成されている被保持部３３ａ、３３ｂを挿入する溝が形成されている。被保持部３３ａ、３３ｂが保持部２５ａ、２５ｂの溝に挿入されたアンテナ基板２２は、この溝に沿って、挿入口２３と、非接触式ＩＣカード１０の読取書込位置と、を結ぶ方向にスライドする。保持部２５ｃは、断面が略Ｌ字型の部材であり、アンテナ基板２２の被保持部３３ｃに形成されている穴部３４に係合する突起部（不図示）を有している。アンテナ基板２２は、被保持部３３ａ、３３ｂを保持部２５ａ、２５ｂの溝に挿入し、非接触式ＩＣカード１０の読取書込位置方向に押し込むと、被保持部３３ｃが保持部２５ｃの上側に入り込み、穴部３４に保持部２５ｃに形成されている突起部が係合する。この状態が、アンテナ基板２２をフレーム２１に挿着した状態（挿着状態）である。この挿着状態であるとき、アンテナ基板２２は、保持部２５ｃによりカードリーダ１本体側（フレーム２１側）に付勢されている。また、この挿着状態であるとき、アンテナ基板２２は、回路パターン３１が読取書込位置にセットされた非接触式ＩＣカード１０に形成されているアンテナコイル（不図示）に対して対向する場所に位置する。
【００２５】
このように、アンテナ基板２２が、カードリーダ１本体に対して簡単に挿着できるので、カードリーダ１本体の組立工数を低減することができる。また、保持部２５ｃをカードリーダ１本体から離れる方向に引っ張って、保持部２５ｃと被保持部３３ｃとの係合状態を解除し、この状態でアンテナ基板２２を挿入口２３側に引き出すことで、カードリーダ１本体からアンテナ基板２２を取り外すことができる。
【００２６】
また、アンテナ基板２２は、コイル状の回路パターン３１の内側に開口部３２を設けているので、カードリーダ１の挿入口２３から硬貨等の異物が挿入された場合であっても、この異物をアンテナ基板２２の開口部３２から排出することができる。したがって、挿入口２３から挿入された硬貨等の異物が、挿入路に残ることがなく、この異物によって装置本体が故障するのを防止できる。
【００２７】
なお、制御部２、無線通信部３、入出力部４を構成する回路を形成した回路基板については、挿入口２３から挿入された硬貨等の異物の排出に邪魔にならない位置に設ければよい。また、この異物については、カードリーダ１本体から排出される構成としてもよいし、カードリーダ１本体内部で回収する構成としてもよい。
【００２８】
上記の説明では、アンテナ基板２１を、カードリーダ１本体の下側（フレーム２１の下側）に取り付ける場合で説明したが、アンテナ基板２１をカードリーダ１本体の上側に取り付けてもよい。上記説明において明らかなように、フレーム２１にアンテナ基板２２が取り付けられていないとき、カードリーダ１本体の下側は開口している。したがって、アンテナ基板２１をカードリーダ１本体の上側に取り付けても、挿入口２３から挿入された硬貨等の異物を排出することができる。このように、カードリーダ１本体に対して、アンテナ基板２２を取り付ける位置が、挿入口２３から挿入された硬貨等の異物を排出するために、カードリーダ１本体の上側に限定されることがなく、カードリーダ１本体や、このカードリーダ１を組み込むＡＴＭ、ＣＤ等の機器における設計の自由度を十分に確保することができ、本体の大型化やコストアップが抑えられる。
【００２９】
なお、カードリーダ１は、周囲をカバーで覆った構成であってもよいし、周囲をカバーで覆うことなくＡＴＭやＣＤ等の装置に組み込んでもよい。
【００３０】
ここで、この実施形態のカードリーダ１の動作について簡単に説明しておく。図４は、この実施形態のカードリーダにおけるカードデータの読取処理を示すフローチャートである。カードリーダ１を利用する利用者が、非接触式ＩＣカード１０を挿入口２３に挿入し、読取書込位置方向に押し込む。このとき非接触式ＩＣカード１０は、案内溝２４に沿って、カードリーダ１本体に押し込まれる。利用者は、非接触式ＩＣカード１０を、その先端がフレーム２１の挿入口２３に対向する面に当たる位置まで押し込む。これにより、非接触式ＩＣカード１０が読取書込位置にセットされた状態となる。
【００３１】
カードリーダ１は、読取書込位置にカードがセットされたことを検出すると（ｓ１）、このカードが非接触式ＩＣカード１０であるかどうかを判定する（ｓ２）。ｓ１では、図示していないセンサにより読取書込位置にセットされたカードを検出している。また、カードが読取書込位置にセットされたことを検出すると、このカードに対する処理が完了する前に、このカードが利用者によりカードリーダ１本体から抜き取られないように、カードをロックするロック機構を設けておき、カードの抜き取りを規制するようにしてもよい。ｓ２では、無線通信部３において、読取書込位置にセットされたカードに対してポーリングを行い、このポーリングに対する応答の有無により、このカードが非接触式ＩＣカード１０であるかどうかを判定する。具体的には、ポーリングに対する応答があれば非接触式ＩＣカード１０であると判定し、反対にポーリングに対する応答がなければ非接触式ＩＣカード１０でないと判定する。
【００３２】
カードリーダ１は、ｓ２で非接触式ＩＣカード１０であると判定すると、この非接触式ＩＣカードが記憶するカードデータの読み取りを行う（ｓ３）。ｓ３では、非接触式ＩＣカード１０に対して、記憶しているカードデータの送信要求を行い、非接触式ＩＣカード１０から送信されてきたカードデータを受信する処理である。カードリーダ１は、入出力部４において、非接触式ＩＣカード１０から読み取ったカードデータを上位装置へ出力する（ｓ４）。
【００３３】
上位装置は、カードリーダ１が出力したカードデータを用いて、処理を実行し、その処理結果をカードリーダ１へ返信する。上位装置は、非接触式ＩＣカード１０が記憶するカードデータの更新が必要な場合には、この処理結果に更新するカードデータを含めて、カードリーダ１に返信する。カードリーダ１は、入出力部１において、上位装置からの処理結果を受け取ると（ｓ５）、終了処理を行い（ｓ６）、本処理を終了する。ｓ６にかかる終了処理では、読取書込位置にセットされている非接触式ＩＣカードに対するカードデータの更新にかかる処理等を、必要に応じて行う。また、カードリーダ２は、ｓ２で非接触式ＩＣカード１０でないと判定すると、エラー処理を行い（ｓ７）、本処理を終了する。
【００３４】
なお、読取書込位置にセットされた非接触式ＩＣカード１０の引き抜きを規制している場合には、ｓ６、またはｓ７にかかる処理が完了した時点で、この規制を解除すればよい。
【００３５】
次に、この発明の別の実施形態であるカードリーダについて説明する。図５は、この実施形態のカードリーダ１の主要部の構成を示すブロック図である。図５では、図１と同じ構成については、同じ符号を付している。この実施形態のカードリーダ１は、非接触式ＩＣカード１０、および接触式ＩＣカード１１に対してカードデータの読み取りや書き込み
が行える構成である。この実施形態のカードリーダ１は、図１に示した構成に加えて、接触式ＩＣカード１１に対してカードデータの読み取りや、書き込みを行う
カードデータ読取書込部５を備えている。このカードデータ読取書込部５は、接触式ＩＣカード１１の表面に形成されているコンタクト端子に電気的に接続されるＩＣ接点５ａを有している。ＩＣ接点５ａは、カードデータの読取書込位置にセットされた接触式ＩＣカード１１のコンタクト端子に電気的に接続される位置に配置されている。
【００３６】
図６は、この実施形態のカードリーダの内部構造を示す概略図である。図６においても、図２に示した構成と同じ構成については、同じ符号を付している。図６に示すように、上記実施形態のカードリーダ１と異なる点は、アンテナ基板２２に対向する位置に、ＩＣ接点５ａが設けられた接点基板２６を設けた点である。アンテナ基板２２と、接点基板２６とは、カードデータの読取書込位置にセットされたカードを挟んで対向している。カードデータ読取書込部５にかかる回路は、この接点基板２６に形成されていてもよいし、挿入路から排出される硬貨等の異物の排出に邪魔にならない位置に設けた制御部２、無線通信部３、入出力部４を構成する回路を形成した回路基板に形成されていてもよい。また、カードデータの読取書込位置に接触式ＩＣカード１１がセットされたとき、この接触式ＩＣカード１１に形成されているコンタクト端子と、接点基板２６に設けられているＩＣ接点５ａとが電気的に接続される。
【００３７】
なお、接点基板２６も、この接点基板２６の配置をフレーム２１の下側にした場合に、挿入口２３から挿入された硬貨等の異物の排出の邪魔にならないように配置されている。
【００３８】
このように、この実施形態のカードリーダ１も、上記実施形態のカードリーダと同様に、アンテナ基板１２が本体の下側に位置するように構成した場合には、挿入口２３から挿入された異物を、アンテナ基板２２の開口部３２から排出することができる。また、アンテナ基板１２がカードリーダ１本体の上方に位置するように構成した場合であっても、上記実施形態に比べれば、ＩＣ接点５ａを設けた接点基板２６を配置したことで、開口している部分の面積が若干小さくなっているが、挿入口１３から挿入された異物を挿入路から問題なく排出することができる。
【００３９】
したがって、この実施形態のカードリーダにおいても、カードリーダ１本体に対して、アンテナ基板２２を取り付ける位置が、挿入口２３から挿入された硬貨等の異物を排出するために、カードリーダ１本体の上側に限定されることがなく、カードリーダ１本体や、このカードリーダ１を組み込むＡＴＭ、ＣＤ等の機器における設計の自由度を十分に確保することができ、本体の大型化やコストアップが抑えられる。
【００４０】
また、接点基板２６を、カードリーダ１本体に対して上側に配置することにより、利用者が接触式ＩＣカード１１を挿入するとき、カード表面（コンタクト端子が形成されている面）を上にして挿入する構成が実現できる。したがって、接触式ＩＣカード１１の挿入ミスの発生頻度が抑えられ、操作性の低下を防止することができる。
【００４１】
次に、この別の実施形態にかかるカードリーダにおけるカードデータの読取処理について簡単に説明する。図７は、このカードデータの読取処理を示すフローチャートであり、図４と同じ処理については、同じステップ番号（ｓ＊）を付している。この実施形態のカードリーダ１は、ｓ１でカードデータの読取書込位置にカードがセットされたことを検出すると、ｓ２でこのカードが非接触式ＩＣカード１０であるかどうかを判定する。カードリーダ１は、ｓ２で非接触式ＩＣカード１０であると判定すると、図４に示したｓ３〜ｓ６の処理を実行する。一方、カードリーダ１は、ｓ２で非接触式ＩＣカード１０でないと判定すると、カードデータの読取書込位置にセットされたカードが接触式ＩＣカード１１であるかどうかを判定する（ｓ１１）。ｓ１１では、ＩＣ接点５ａを介して、カードデータの読取書込位置にセットされているカードと電気的に接続されているかどうかに基づいて、このカードが接触式ＩＣカード１１であるかどうかを判定する。カードリーダ１は、ｓ１１で非接触式Ｉｃカードであると判定すると、この接触式ＩＣカード１１が記憶するカードデータを読み取り（ｓ１２）、図４に示したｓ４〜ｓ６の処理を実行する。
【００４２】
なお、カードリーダ１は、ｓ１１で接触式ＩＣカード１１でもないと判定すると、ｓ７でエラー処理を行い、本処理を終了する。
【００４３】
このように、この実施形態のカードリーダ１においては、非接触式ＩＣカード１０、および接触式ＩＣカード１１が記憶するカードデータを読み取ることができる。
【００４４】
なお、上記実施形態では、本願発明を、利用者が挿入口２３に挿入したカードを、カードデータの読取書込位置まで押し込む構成のカードリーダに適用して説明したが、挿入口２３に挿入されたカードをカードデータの読取書込位置まで搬送する搬送部を備えたカードリーダであっても、本願発明が適用できることはいうまでもない。
【００４５】
また、カード挿入口２３の近くに磁気ヘッドを設け、磁気カードが記憶するカードデータについても読み取ることができる構成とすることもできる。
【図面の簡単な説明】
【００４６】
【図１】この発明の実施形態であるカードリーダの主要部の構成を示すブロック図である。
【図２】この実施形態のカードリーダの内部構造を示す概略図である。
【図３】この実施形態のカードリーダにおけるアンテナ基板を示す図である。
【図４】この実施形態のカードリーダにおけるカードデータ読取処理を示すフローチャートである。
【図５】この発明の別の実施形態であるカードリーダの主要部の構成を示すブロック図である。
【図６】この別の実施形態のカードリーダの内部構造を示す概略図である。
【図７】この別の実施形態のカードリーダにおけるカードデータ読取処理を示すフローチャートである。
【符号の説明】
【００４７】
１−カードリーダ
２−制御部
３−無線通信部
４−出力部
５−カードデータ読取部
５ａ−ＩＣ接点
１０−非接触式ＩＣカード
１１−接触式ＩＣカード
２１−フレーム
２２−アンテナ基板
２３−挿入口
２５（２５ａ、２５ｂ、２５ｃ）−保持部
２６−接点基板
３１−回路パターン
３２−開口部
３３（３３ａ、３３ｂ、３３ｃ）−被保持部
【図１】
0004829643.tif 000002
【図２】
0004829643.tif 000003
【図３】
0004829643.tif 000004
【図４】
0004829643.tif 000005
【図５】
0004829643.tif 000006
【図６】
0004829643.tif 000007
【図７】
0004829643.tif 000008